(57)【要約】      （修正有）【課題】操作性が良好で、かつ、意匠的自由度を高めることのできるクレセント錠の提供を目的とする。【解決手段】引き違い戸または開き戸等の可動扉１を周縁の施錠基体２に連結し、可動扉１の開放を規制するクレセント錠であって、連結対象に固定されたクレセント受け具３に係脱するクレセント施錠部４を回転操作する操作ハンドル部５を備え、該操作ハンドル部５の自由端近傍には、クレセント施錠部４の回転軸にほぼ平行方向に突出する操作用突部６が設けられる。【選択図】図２
2007063841.tif 000002
【特許請求の範囲】
【請求項１】
引き違い戸または開き戸等の可動扉を周縁の施錠基体に連結し、可動扉の開放を規制するクレセント錠であって、
連結対象に固定されたクレセント受け具に係脱するクレセント施錠部を回転操作する操作ハンドル部を備え、
該操作ハンドル部の自由端近傍には、クレセント施錠部の回転軸にほぼ平行方向に突出する操作用突部が設けられるクレセント錠。
【請求項２】
引き違い戸または開き戸等の可動扉を周縁の施錠基体に連結し、可動扉の開放を規制するクレセント錠であって、
連結対象に固定されたクレセント受け具に係脱するクレセント施錠部を回転操作する操作ハンドル部と、
前記操作ハンドル部の自由端部を拘束してクレセント施錠部に対する回転操作を禁止するロック部を備え、
かつ、操作ハンドル部の自由端部には、クレセント施錠部の回転軸にほぼ平行方向に突出する操作用突部が設けられるクレセント錠。
【請求項３】
前記ロック部は、所定の回転位置まで回転操作された際にロック解除される適数のダイヤルを備えたダイヤル錠である請求項２記載のクレセント錠。
【発明の詳細な説明】
【技術分野】
【０００１】
本発明は、クレセント錠に関するものである。
【背景技術】
【０００２】
窓用サッシ等の一方に固定され、他方のサッシに固定されたクレセント受け具に係脱させるクレセント錠としては、特許文献１に記載のものが知られている。この従来例において、クレセント錠は、クレセント受け具に係脱する係合片（クレセント施錠部）に操作レバー（操作ハンドル部）を一体に突設させて形成される。
【０００３】
クレセント錠の操作は、例えば操作ハンドル部を指で摘み、あるいは引っ掛けて該操作ハンドル部を回転操作して行われる。
【特許文献１】実用新案登録第２６０３１７４号公報
【発明の開示】
【発明が解決しようとする課題】
【０００４】
しかし、上述した従来例において、操作ハンドル部の操作を行うためには、操作ハンドル部と、クレセント受け具が固定される側のサッシ表面との間に指等が挿入可能な十分な間隙を設定する必要があるために、操作ハンドル部の意匠的自由度が小さいという欠点がある。
【０００５】
本発明は、以上の欠点を解消すべくなされたものであって、操作性が良好で、かつ、意匠的自由度を高めることのできるクレセント錠の提供を目的とする。
【課題を解決するための手段】
【０００６】
本発明によれば上記目的は、
引き違い戸または開き戸等の可動扉１を周縁の施錠基体２に連結し、可動扉１の開放を規制するクレセント錠であって、
連結対象に固定されたクレセント受け具３に係脱するクレセント施錠部４を回転操作する操作ハンドル部５を備え、
該操作ハンドル部５の自由端近傍には、クレセント施錠部４の回転軸にほぼ平行方向に突出する操作用突部６が設けられるクレセント錠を提供することにより達成される。
【０００７】
クレセント施錠部４により相手側クレセント受け具３に係止し、可動扉１を窓枠、あるいは隣接する他の引き違い戸等の施錠基体２に連結して施錠するクレセント錠は、クレセント施錠部４への回転操作を容易にするための操作ハンドル部５を備える。操作ハンドル部５は、クレセント施錠部４から一体に延設されたものであっても、あるいは別体に形成されたものをクレセント施錠部４に固定したものであってもよい。
【０００８】
上記操作ハンドル部５にはクレセント施錠部４の回転軸にほぼ平行方向に突出する操作用突部６が設けられる。操作ハンドル部５に操作用突部６を突出させることにより、操作用突部６を上下から指で挟むようにして摘むことが可能になり、摘んだ状態での操作ハンドル部５への回転操作が可能になる。この結果、上述した従来例においては、操作ハンドル部５への回転操作力の付与は、操作ハンドル部５の自由端に指を引っ掛けて行うしかないために、操作ハンドル部５の自由端とサッシ表面との間に指が入る十分な隙間を設定する必要があったのに対して、本発明においては操作ハンドル部５への操作を考慮する必要がなくなり、意匠的自由度が向上する。
【０００９】
また、クレセント錠は、
引き違い戸または開き戸等の可動扉１を周縁の施錠基体２に連結し、可動扉１の開放を規制するクレセント錠であって、
連結対象に固定されたクレセント受け具３に係脱するクレセント施錠部４を回転操作する操作ハンドル部５と、
前記操作ハンドル部５の自由端部を拘束してクレセント施錠部４に対する回転操作を禁止するロック部７を備え、
かつ、操作ハンドル部５の自由端部には、クレセント施錠部４の回転軸にほぼ平行方向に突出する操作用突部６が設けられるように構成することができる。
【００１０】
一般に、操作ハンドル部５への操作をロック部７により拘束する場合、自由端部の移動を拘束するのが、操作ハンドル部５内部への拘束機構の組み込み等を要しないために、全体の構造を比較的簡単にすることができる。一方、操作ハンドルに回転操作力を付与する場合には、操作ハンドル部５の自由端部を指掛けとして利用するのが操作しやすく、この施解錠操作時の指掛けとして自由端部をロック部７の拘束対象部とすると、回転操作時における操作性が低下する。
【００１１】
これを解決するためには、拘束解除時にロック部７を指掛けのために邪魔にならない位置まで退避するように構成することも可能であるが、この場合には、ロック部７の構造が徒に複雑になる。
【００１２】
これに対し、操作ハンドル部５の自由端部に操作用突部６を設ける本発明においては、操作ハンドル部５の自由端をロック部７における拘束対象とすることが可能になり、かつ、操作性の低下ももたらされることがない。
【発明の効果】
【００１３】
本発明によれば、良好な操作性を維持しつつ、意匠的自由度を向上させることができる。
【発明を実施するための最良の形態】
【００１４】
図１、２に引き違い戸に取り付けられたクレセント錠を示す。クレセント錠は、ケーシング９に回転自在に連結されるクレセント施錠部４と、クレセント施錠部４に連結される操作ハンドル部５と、ケーシング９に組み込まれたロック部７とを有する。
【００１５】
このクレセント錠は、室内側の一方の引き違い戸（可動扉１）の側壁に固定され、室外側に位置する他方の引き違い戸（施錠基体２）の対向側壁にはフック形状のクレセント受け具３が固定される。ケーシング９の可動扉１への固定面にはパッキン１０が介装される。
【００１６】
クレセント施錠部４は、所定曲率を有する立ち上がり係止片４ａを有しており、図２（ａ）、（ｂ）に示す施錠回転位置においてクレセント受け具３に係止する。クレセント施錠部４を図２（ｃ）に示す解錠回転位置まで回転させると、立ち上がり係止片がクレセント受け具３から脱離し、可動扉１の開放が可能になる。
【００１７】
図３、４に示すように、ケーシング９は、第１ケース９ａと、第１ケース９ａに固定される第２ケース９ｂとを有する。第１ケース９ａのほぼ下半分（以下、本明細書において、ダイヤル錠が配置される側を「上」、クレセント施錠部４が配置される側を「下」とする。）にはベースプレート１１が固定される。ベースプレート１１にはセットプレート１２が固定され、セットプレート１２に開設された取付孔１２ａに正面側（以下、本明細書においてケーシング９の可動扉１への取り付け方向を「表面側」、反対方を「裏面側」とする。）から挿入される取付ビス１３を使用して可動扉１に固定される。上下方向の取付位置の調整が可能なように、取付孔１２ａは縦長の長円形状に形成され、さらに、横方向の取付位置の微調整を可能にするために、セットプレート１２はベースプレート１１に対して横方向に移動可能に装着される。
【００１８】
上記第１ケース９ａには枢軸１４が回転自在に立設される。図３（ａ）に示すように、枢軸１４は角柱部１４ａの下端面から円柱部１４ｂを延設して形成され、さらに円柱部１４ｂの下端に小判断面部１４ｃが形成される。この枢軸１４は、第１ケース９ａに開設された軸挿通孔９ｃに円柱部１４ｂを表面側から挿入して装着され、枢軸１４に形成されたねじ孔１４ｄにフランジ付き止着子１５をねじ込んで抜け止めされる。
【００１９】
１６は第１ケース９ａの裏面とフランジ付き止着子１５との間に挟まれるようにして配置されるクリックプレートであり、枢軸１４の小判断面部１４ｃに嵌合して枢軸１４に対する空転が規制される。このクリックプレート１６は、裏面側に突出するスプリング引っ掛け片１６ａを備え、該スプリング引っ掛け片１６ａと、第１ケース９ａ裏面に突設される突起９ｄとに両端が連結されて引張スプリング１７が装着される。
【００２０】
引張スプリング１７は、後述する操作ハンドル部５のいずれかのストローク終端回転位置側に枢軸１４を付勢するために装着される。すなわち、図４（ｂ）に示す施錠回転位置から枢軸１４を図４（ｂ）において反時計方向に回転させて解錠回転位置に移行させる際、あるいは逆方向回転させて解錠回転位置から施錠回転位置に移行させる際には、ストローク中心点（Ｐ）で引張スプリング１７の撓み量が最大となる。このため上記中心点（Ｐ）は思案点となり、この状態から枢軸１４が僅かに施解錠回転位置のいずれかに振れると、引張スプリング１７の弾性復元力により枢軸１４は回転ストローク終端位置まで強制駆動される。
【００２１】
上記枢軸１４には上述したクレセント施錠部４と操作ハンドル部５とが連結される。クレセント施錠部４と操作ハンドル部５は各々に開設された矩形孔４ｂ、５ｂに枢軸１４の角柱部１４ａを嵌合して枢軸１４に対して空転不能に連結される。
【００２２】
操作ハンドル部５の矩形孔５ｂは操作ハンドル部５の一端部裏面に開設されており、第１ケース９ａの表面壁との間にクレセント施錠部４を挟みこむようにしてクレセント施錠部４上に積層固定される。この操作ハンドル部５の他端表面には、枢軸１４と平行方向に円柱状の操作用突部６が突設される。上述したように、操作用突部６の位置は、指で摘んだ操作が可能であるために、自由に設定可能であるが、図２（ａ）、（ｂ）に示すように、施錠基体２の表面との間に指等の入る十分な間隙が形成される位置に配置すると、操作用突部６を指で引っ掛けて回転操作することも可能になるために、より操作性が向上する。また、図３、４に示すように、操作ハンドル部５には横孔５ａが開設され、この横孔５ａを貫通し、上記枢軸１４に開設されたピン圧入孔１４ｅに打ち込まれるピン１８により抜け止めされる。
【００２３】
さらに、図３に示すように、上記第１ケース９ａの表面壁にはストローク規制突起１９が突設されるとともに、操作ハンドル部５の裏面にはストローク規制凹部２０が設けられる。施解錠回転位置間のストロークが１８０°に設定されるこの実施の形態において、ストローク規制凹部２０は、枢軸１４の回転中心周りに上記ストローク規制突起１９が１８０°回転移動できる範囲に形成される。
【００２４】
したがってこの実施の形態において、操作用突部６を利用して操作ハンドルを回転操作すると、枢軸１４を介してクレセント施錠部４が回転する。枢軸１４と操作用突部６との距離を好適に設定すると、小さな操作力でクレセント受け具３とを係脱操作を行うことができる。また、操作ハンドル部５への操作は、操作用突部６を指で引っ掛ける以外に、操作用突部６を指で摘み、あるいは操作用突部６の下面を指で支えた状態等、種々の態様で行うことができる。
【００２５】
上記第２ケース９ｂは、第１ケース９ａの上半分表面を覆うように固定され、内部にロック部７が収容される。意匠的統一性を得るために、第２ケース９ｂは、外周が施錠回転位置における操作ハンドル部５の延長面となるように形成される。
【００２６】
図３、５に示すように、ロック部７はダイヤル錠として構成され、上下方向に長い円形断面のロックシャフト２１と、ロックシャフト２１周りに装着されるダイヤルスリーブ２２と、ダイヤルスリーブ２２周りに装着されるダイヤル８とを有する。ロックシャフト２１の下端には半球形状の係止端２１ａが形成され、上記操作ハンドル部５の一端に形成されたロック用凹部２３に係止する。このロックシャフト２１は、シャフト付勢用圧縮スプリング２４により係止端２１ａがロック用凹部２３側に突出する方向に付勢される。
【００２７】
ロック部７におけるロック、アンロックはダイヤル８の回転角度によってロックシャフト２１の長手方向の移動を規制、許容することにより行われる。すなわち、アンロック状態においてロックシャフト２１は長手方向に移動可能であり、図３（ａ）に示すように、シャフト付勢用圧縮スプリング２４の付勢力により係止端２１ａがロック用凹部２３に係止して操作ハンドル部５の不用意な回転を規制する。この状態で操作ハンドル部５に図３（ａ）において時計回りの回転操作力が与えられると、ロック用凹部２３の内側傾斜面２３ａに押されてロックシャフト２１には上方、すなわち、ロック用凹部２３との係止解除方向の分力が発生する。この結果、操作ハンドル部５は、シャフト付勢用圧縮スプリング２４の反力に抗してロックシャフト２１を上方に押しやりながら回転することができる。
【００２８】
また、解錠回転位置から施錠回転位置まで操作ハンドル部５を回転操作すると、上記内側傾斜面２３ａと協働して山形形状をなすロック用凹部２３の外側傾斜面２３ｂがロックシャフト２１を上方に押しやり、係止状態に移行する。
【００２９】
これに対し、ロック部７がロック状態にある場合には、ロック用凹部２３との係止位置からの退避移動が禁止されるために、操作ハンドル部５を回転操作することができない。
【００３０】
上記ロックシャフト２１の移動を制御するために、ロックシャフト２１にはストッパ突起２１ｂが突設されるとともに、ダイヤルスリーブ２２側にはストッパ突起２１ｂが挿通可能なロック切欠２２ａが設けられる。ダイヤル８の外周には数字等の符号８ａが適宜ピッチで表示される（図１（ｂ）参照）。これら符号８ａの一部は第１ケース９ａと第２ケース９ｂに形成される窓部２５から外部に露出しており、窓部２５から予め定められた符号（解錠コード）を表示させることにより解錠状態とすることができる。
【００３１】
符号２５間を区分するためにダイヤル８の外周には凹溝８ｂが形成される。図５（ａ）に示すように、第１ケース９ａには上記ダイヤル８外周の凹溝８ｂに弾発係止する係止爪２６ａを備えたクリックプレート２６が保持され、ダイヤル８を節度停止させる。
【００３２】
図５（ｂ）、（ｃ）に示すように、ダイヤルスリーブ２２と、ダイヤルスリーブ２２に外嵌合するダイヤル８とはダイヤルスリーブ２２の外周に突設される嵌合突条２２ｂをダイヤル８側の嵌合凹溝８ｃに嵌合させて回転方向に連結される。ダイヤルスリーブ２２は、最下端に位置するダイヤルスリーブ２２とケーシング９との間に介装されるスリーブ付勢用圧縮スプリング２７によりダイヤル８側に押し付けられ、上記嵌合突条２２ｂと嵌合凹溝８ｃとの嵌合状態が保持される。ダイヤル８の回転位置、すなわちダイヤルスリーブ２２の回転位置が設定された位置であると、図５（ｄ）に示すように、ロック切欠２２ａの回転位置はロックシャフト２１のストッパ突起２１ｂの回転位置に合致し、ロックシャフト２１は長手方向に移動することができる（アンロック状態）。
【００３３】
これに対し、ダイヤル８の回転位置が設定位置でない場合には、ロックシャフト２１のストッパ突起２１ｂはダイヤルスリーブ２２のロック切欠２２ａに一致せず、ロックシャフト２１を上方、すなわち、操作ハンドル部５のロック用凹部２３との係止解除方向に移動させようとすると、ダイヤルスリーブ２２の下端面に衝接する。ダイヤル８はロックシャフト２１の長手方向への移動が規制され、かつ、図５（ｃ）に示すように、ダイヤルスリーブ２２の上方への移動はダイヤル８により阻止されているために、ロックシャフト２１は上方への移動が規制され、ロック用凹部２３との係止解除が禁止される（ロック状態）。
【００３４】
さらに、ロック部７の解錠コードを変更可能にするために、ロックシャフト２１の上端にはコード変更ボタン２８が配置される。コード変更ボタン２８の下端部には、上記ロックシャフト２１の上端に形成されるフランジ２１ｃに開設される脚部挿通孔２１ｄを貫通し、ダイヤルスリーブ２２の上端面に至る操作脚２８ａが突設される。また、図５（ｄ）に示すように、ダイヤルスリーブ２２の下端には、第１ケース９ａに突設される回り止め突起９ｅにアンロック回転位置において正対する回り止め用切欠２２ｃが形成される。
【００３５】
上記コード変更ボタン２８の上端は、ケーシング９に開設されたコードチェンジ開口９ｆから外部に露出しており、ダイヤル８、正確にはダイヤルスリーブ２２がアンロック回転位置にあるときには、図６（ｃ）に示すように、ケーシング９内に押し込むことができる。コード変更ボタン２８の押し込みにより、ダイヤルスリーブ２２は下方に押し出されて回り止め突起９ｅに回り止め用切欠２２ｃが嵌合し、以後、回転が規制される。同時に、ダイヤルスリーブ２２の嵌合突条２２ｂとダイヤル８の嵌合凹溝８ｃとの嵌合が解除され、ダイヤル８の空転が可能になる。
【００３６】
この状態でダイヤル８を適宜回転角度まで回転させ、次いでコード変更ボタン２８への押し込み力を解除すると、スリーブ付勢用圧縮スプリング２７の復元力によりダイヤルスリーブ２２の嵌合突条２２ｂはダイヤル９の新たな嵌合凹溝８ｃに嵌合し、原位置に復帰する。嵌合突条２２ｂの嵌合位置が変更されることにより、ダイヤル８とダイヤルスリーブ２２との相対回転位置が変わり、以後、ダイヤルスリーブ２２との嵌合時に表示窓に表示された符号８ａが解錠コードとなる。
【図面の簡単な説明】
【００３７】
【図１】本発明を示す図で、（ａ）は正面図、（ｂ）は右側面図である。
【図２】クレセント錠の取付状態を示す図で、（ａ）は正面図、（ｂ）は（ａ）の２Ｂ方向矢視図、（ｃ）は解錠状態を示す正面図である。
【図３】クレセント錠の断面図で、（ａ）は（ｂ）の３Ａ-３Ａ線断面図、（ｂ）は（ａ）の３Ｂ-３Ｂ線断面図である。
【図４】操作ハンドル部の取付状態を示す断面図で、（ａ）は操作ハンドル部の取付部を切断して示す側面図、（ｂ）はパッキンを取り除いて示す（ａ）の４Ｂ方向矢視図である。
【図５】ロック部を示す図で、（ａ）は図３（ａ）の５Ａ-５Ａ線断面図、（ｂ）は図３（ａ）の５Ｂ-５Ｂ線に沿う要部断面図、（ｃ）はダイヤルとダイヤルスリーブとの連結状態を示す説明図、（ｄ）は図３（ａ）の５Ｃ-５Ｃ線に沿う要部断面図である。
【図６】ダイヤル錠のコードチェンジを示す図で、（ａ）は図３（ａ）の６Ａ線断面図、（ｂ）は図６（ａ）の６Ｂ-６Ｂ線に沿う要部断面図、（ｃ）はコードチェンジ操作を示す図３（ａ）に対応する図である。
【符号の説明】
【００３８】
１        可動扉
２        施錠基体
３        クレセント受け具
４        クレセント施錠部
５        操作ハンドル部
６        操作用突部
７        ロック部
８        ダイヤル
【図１】
2007063841.tif 000003
【図２】
2007063841.tif 000004
【図４】
2007063841.tif 000005
【図５】
2007063841.tif 000006
【図６】
2007063841.tif 000007
【図３】
2007063841.tif 000008